(57)【要約】【課題】  建築現場の足場５に張設される養生シート１の張設構造において、養生シート１の張設作業と撤去作業、並びに、養生シート１の束ね付け作業と束ね付けた養生シート１の再張設作業の作業性と安全性を向上させる。【解決手段】  建地２の２スパン以上の長さに亘ってほぼ水平方向にランナー１２の摺動を案内することができるレール部材７に対し、当該レール部材７によってほぼ水平方向に摺動が案内されるランナー１２を介して、建地２の２スパン以上の幅の養生シート１を吊設し、２スパン以上の幅の養生シート１について、一度に張設と撤去、並びに、束ね付けと再張設ができるようにする。【選択図】      図１
2006118121.tif 000002
【特許請求の範囲】
【請求項１】
建築現場の足場に張設する養生シートの張設構造において、足場の外周側に、建地の２スパン以上の長さに亘ってほぼ水平方向にランナーの摺動を案内することができるレール部材が取り付けられており、このレール部材に対し、当該レール部材によってほぼ水平方向に摺動が案内されるランナーを介して、建地の２スパン以上の幅の養生シートが吊設されていることを特徴とする養生シートの張設構造。
【請求項２】
養生シートの幅方向中間部に建地への締結具が取り付けられており、養生シートの中間部が、この締結具により、養生シートが跨る中間部の建地に締結されていることを特徴とする請求項１に記載の養生シートの張設構造。
【請求項３】
レール部材が、足場の外方に持ち出されて取り付けられていることを特徴とする請求項１又は２に記載の養生シートの張設構造。
【請求項４】
レール部材が、一端が足場に取り付けられ、他端が案内部材を介して下方に導かれて足場に取り付けられた線材で構成されており、足場に取り付けられた前記一端と案内部材との間が、ほぼ水平方向にランナーの摺動を案内する領域となっており、しかも案内部材と足場に取り付けられた前記他端との間に緊張具が介在されていることを特徴とする請求項１乃至３のいずれか１項に記載の養生シートの張設構造。
【発明の詳細な説明】
【技術分野】
【０００１】
本発明は、建築現場の足場に張設される養生シートの張設構造に関するもので、特に低層住宅の建築現場に適した養生シートの張設構造に関する。
【背景技術】
【０００２】
従来、建築現場の足場に張設される養生シートの張設構造としては、養生シートの上下縁を、足場の横桟に対し、ループ状に結んだ紐などで摺動可能に取り付けておき、台風などの強風時に、このループ状の紐などを横桟に沿って滑らせて養生シートを束ねることで、迅速かつ容易に養生シートを束ね付けることができるようにしたものが知られている（例えば、特許文献１参照）。
【０００３】
【特許文献１】特開平１１−２６４２５２号公報
【発明の開示】
【発明が解決しようとする課題】
【０００４】
しかしながら、上記従来の養生シートの張設構造は、養生シートの上下縁を足場の横桟に対して摺動可能に取り付けているので、横桟と交差する建地を越えて摺動させることができず、横桟の１スパン分しか摺動させることができない。このため、建地の１スパン毎に養生シートが取り付けられており、当初の張設作業および撤去作業は、建地の１スパン毎に作業者が足場上を移動しながら行うことになり、手間がかかると共に作業上の危険も多い問題がある。また、強風時には、養生シートを建地の１スパン毎に束ね付けなければならず、束ね付ける養生シートの枚数が多く、さほど作業の迅速化と安全性の向上につながらない問題がある。束ね付けた養生シートを再張設する際には、逆に建地の１スパン毎に養生シートを広げなければならず、やはり良好な作業性と安全性が得にくい問題がある。
【０００５】
さらに言及すると、上記のように養生シートの開閉に手間がかかることから、例えば住宅建設工事中における外観を見ながらの打ち合わせ、遠方からの外観の確認、第３者への現場見学会時の外観披露などをほとんど行うことができないという問題もある。
【０００６】
本発明は、上記従来の問題点に鑑みてなされたもので、建築現場の足場に張設される養生シートの張設構造において、養生シートの張設作業と撤去作業、並びに、養生シートの束ね付け作業と束ね付けた養生シートの再張設作業の作業性と安全性を向上させることができる構造とすることを目的とする。
【課題を解決するための手段】
【０００７】
上記目的のために本発明は、
建築現場の足場に張設する養生シートの張設構造において、足場の外周側に、建地の２スパン以上の長さに亘ってほぼ水平方向にランナーの摺動を案内することができるレール部材が取り付けられており、このレール部材に対し、当該レール部材によってほぼ水平方向に摺動が案内されるランナーを介して、建地の２スパン以上の幅の養生シートが吊設されていることを特徴とする養生シートの張設構造を提供するものである。
【０００８】
また、上記本発明は、養生シートの幅方向中間部に建地への締結具が取り付けられており、養生シートの中間部が、この締結具により、養生シートが跨る中間部の建地に締結されていること、
レール部材が、足場の外方に持ち出されて取り付けられていること、
レール部材が、一端が足場に取り付けられ、他端が案内部材を介して下方に導かれて足場に取り付けられた線材で構成されており、足場に取り付けられた前記一端と案内部材との間が、ほぼ水平方向にランナーの摺動を案内する領域となっており、しかも案内部材と足場に取り付けられた前記他端との間に緊張具が介在されていること
をその好ましい態様として含むものである。
【発明の効果】
【０００９】
本発明によれば、建地の２スパン以上の幅の養生シートが、横桟とは別に設けられたレール部材に沿って摺動可能に吊り設された構造となるので、建地に邪魔されることなく、この幅広の養生シートを一度に束ね付けたり広げることができる状態で張設することができる。例えば、建地の２スパン分の幅の養生シートとすれば、一度に建地の２スパン分の養生シートの張設、撤去、束ね付けおよび再張設を行うことができ、１スパン分毎にこれらの作業を行う従来の構造に比して、作業負担を１／２にすることができる。
【００１０】
さらに具体的に説明すると、レール部材の一端側にランナーをまとめ、このランナーに上記幅広の養生シートを掛けてから広げることで、作業者が足場上を頻繁に移動することなく養生シートを張設することができ、作業性の向上と同時に作業の安全性も向上させることができる。養生シートの撤去も、上記幅広の養生シートを一箇所に片寄せてまとめた後、その場でランナーから養生シートを取り外すことで行うことができ、やはり作業者が足場上を頻繁に移動することなく上記幅広の養生シートを取り外すことができるので、作業性と安全性を向上させることができ、素人による作業も可能となる。
【００１１】
また、上記のように養生シートの開閉を簡単に行うことができるので、台風などの強風時の風よけのための束ね付け作業が容易になるだけでなく、例えば住宅建設における外観を見ながらの打ち合わせ、遠方からの外観の確認、第３者への現場見学会時の外観披露を容易に行うことができる。
【００１２】
養生シートの幅方向中間部を締結具で建地に締結しておけば、幅広の養生シートであっても、しっかり足場に取り付けることができ、養生シートの取り付け状態を安定させることができる。
【００１３】
レール部材を足場の外方に持ち出して取り付けておくと、レール部材に沿ったランナーの摺動が足場の構成部材によって阻害されにくいと同時に、レール部材に吊設される養生シートを足場から離して張設することができ、足場と建物の間隔をとりにくい現場においても、足場上での作業スペースを確保しやすくなる。
【００１４】
レール部材をワイヤーやロープなどの線材とする場合、一端を養生シートの吊設高さに合わせた位置で足場に取り付け、他端を、前記一端とほぼ同じ高さに設けた案内手段を介して下方に導き、張力を付与するための緊張具、例えばターンバックルを介在させて足場に取り付けておくと、線材で構成したレール部材に張力を掛ける作業を安定した場所、例えば地面上で行うことができ、作業が安全かつ容易となる。
【発明を実施するための最良の形態】
【００１５】
以下、図面に基づいて本発明をさらに詳細に説明する。
【００１６】
図１は本発明の一例に係る養生シートの張設構造を有する足場の部分斜視図、図２は図１に示される保持部材の拡大斜視図、図３は図１の左上部の拡大斜視図、図４は図１の右側部の一部を省略した拡大斜視図である。
【００１７】
図１に示されるように、養生シート１は、建地２と横桟３を連結クランプ４で連結した足場５の外周側に、保持具６ａ〜６ｃを介して足場５に取り付けられたレール部材７から吊り下げられている。
【００１８】
保持具６ａ〜６ｃは、図２に示されるように、建地２又は横桟３（図１参照）を掴持して締め付けることができるクランプ部８と、このクランプ部８から延出したロッド部９と、ロッド部９の先端に連接されたリング部１０とから構成されたものとなっている。
【００１９】
図１、図３及び図４に示されるように、本例における３つの保持具６ａ〜６ｃは、いずれも建地２に、ロッド部９（図３及び図４参照）を外方に向けて取り付けられている。但し、保持具６ａ〜６ｃは、総て横桟３に取り付けたり、建地２と横桟３に取り付けたものを混在させることもできる。
【００２０】
３つの保持具６ａ〜６ｃのうち、保持具６ａは、ほぼ養生シート１の吊設高さに合わせた位置に取り付けられており、保持具６ｂは、保持具６ａから２スパン離れた建地２に、保持具６ａよりも若干高い位置に取り付けられている。また、保持具６ｃは、保持具６ｂの下方に取り付けられている。
【００２１】
本例におけるレール部材７は線材で構成されており、一端（上端）が保持具６ａのリング部１０に取り付けられており、他端（下端）が保持具６ｂのリング部１０に掛けられた案内部材１１を介してほぼ垂直に下方に導かれ、保持具６ｂの下方に位置する保持具６ｃのリング部１０に取り付けられて張り渡されている。また、レール部材７の一端が取り付けられた保持具６ａと、レール部材７の他端を下方に導くための案内部材１１は、ほぼ同じ高さに設けられており、レール部材７は、その一端が取り付けられた保持具６ａと、その他端を下方に導くための案内部材１１との間の領域がほぼ水平に張られている。
【００２２】
なお、以下の説明では、上記ほぼ水平に張られたレール部材７の領域をレール部材７の水平部といい、案内部材１１から保持具６ｃ間のレール部材７の領域をレール部材７の垂直部という。
【００２３】
レール部材７を構成する線材としては、ワイヤーやロープなどを用いることができる。レール部材７としては、この線材の他、両端を適宜の保持具で保持し、ほぼ水平に足場５に取り付けたパイプや棒材を用いることもできるが、長さを自由に調整しやすく、持ち運びにも便利であることから、線材が好ましい。
【００２４】
案内部材１１は、線材で構成されたレール部材７を、その長さ方向への移動を許容しつつ支持できるものであればく、例えばカラビナなどの環状体、滑車などを用いることができる。図示される案内部材はカラビナである。
【００２５】
前記レール部材７の他端は、保持具６ｂを保持具６ａと同じ高さに取り付け、この保持具６ａと高さを揃えた保持具６ｂに取り付けてしまうこともできるが、案内部材１１を介して下方に導いておくことが好ましい。このようにすると、レール部材７の垂直部に、レール部材７に張力を付与するためのターンバックルなどの緊張具（図示されていない）を介在させることができる利点がある。また、この他端を地面付近まで下げておくことで、緊張具による張力付与作業を安定した場所で行うことができる。
【００２６】
本例において、レール部材７の水平部は、ほぼ建地２の２スパン分の長さとなっている。
【００２７】
このレール部材７の水平部には、当該レール部材７の水平部に沿ってほぼ水平方向に摺動可能な多数のランナー１２が掛けられている。また、前述のように、保持具６ａ〜６ｃは、いずれもロッド部９を外方に向けて足場５に取り付けられていることから、レール部材７は、外方に持ち出された状態で足場５に取り付けられている。したがって、レール部材７の水平部は、足場５の構成部材に邪魔されることなく、建地２の２スパン分の長さに亘ってほぼ水平方向にランナー１２の摺動を案内することができるものとなっている。また、このレール部材７の水平部に吊り下げられた養生シート１の位置を、足場５に乗る作業者から遠ざけることができ、養生シート１が作業の邪魔になるのを防止しやすくなっている。
【００２８】
本例における養生シート１は、上記レール部材７の水平部と同様に、ほぼ建地２の２スパン分の幅を有するもので、ランナー１２を介してレール部材７の水平部に吊設されている。したがって、養生シート１は、ランナー１２をレール部材７の水平部に沿って摺動させることで、左右いずれかへ簡単に束ね付けることができるものとなっている。
【００２９】
ランナー１２は、レール部材７の水平部に沿って摺動可能で、レール部材７の水平部に養生シート１をつなぎ止めることができるものであれば足り、例えばカラビナ、フック、環状体などを用いることができるが、カラビナの場合、予めレール部材７に通しておいたり、養生シート１に取り付けておくことなく、レール部材７への養生シート１の吊り下げを行うことができるので好ましい。
【００３０】
図示されるランナー１２カラビナで、養生シート１の上縁部に沿って適宜の間隔で形成された吊り孔１３に通されていると共に、レール部材７の水平部に掛けられている。
【００３１】
なお、養生シート１の両側部は、従来と同様に鳩目孔（図示されていない）などを設けておくことで、ロープ、紐、テープなどで建地２に止め付けることができる。
【００３２】
以上説明した例においては、レール部材７を保持具６ａ〜６ｃを用いて足場５に取り付けたものとなっているが、これらの保持具６ａ〜６ｃを使用せずに、例えば横桟３その他の足場５の構成部材の端部を外方に突出させ、これにレール部材７を取り付けることもできる。
【００３３】
ほぼ水平方向にランナー１２の摺動を案内することができるレール部材７の長さ（上述の例ではレール部材７の水平部の長さ）と養生シート１の幅は、それぞれ建地２の２スパン以上であれば３スパン以上でも良く、さらには建地２の１スパンの整数倍とならない幅（例えば２．５スパンなど）でも良い。しかし、養生シート１の幅を過剰に広くすると、重く持ち運びにくくなるので、高さ（長さ）が７ｍの場合、幅は５．４ｍ以下とすることが好ましい。
【００３４】
図５は本発明に用いる養生シートの他の例を示す斜視図である。
【００３５】
図示される養生シート１は、幅方向中間部に、高さ方向に適宜の間隔をあけて、締結具１４が取り付けられたものとなっている。この取付具１４は、養生シート１が跨ぐ建地２（図１参照）に養生シート１の中間部を締結して張設状態を安定させるためのもので、例えば建地２に結び付けることができる紐やテープ、建地２に巻き付けて止めることができるテープファスナーなどを用いることができる。また、この締結具は、中間部に２列以上設けたり、前述の鳩目孔の代わりに養生シート１の両側部にも設けることができる。
【００３６】
図６は足場へ張設する養生シートの配置の一例を示す説明図、図７は足場へ張設する養生シートの配置の他の例を示す説明図である。
【００３７】
図６に示される例は、足場５の一面に横方向に２枚の養生シート１を並べて張設した例である。この例のように、足場５の一面に複数枚の養生シート１を横方向に並べて張設する場合、１本のレール部材７（図１参照）に１枚の養生シート１を吊り下げるだけでなく、１本のレール部材７に、それぞれ建地２の２スパン以上の幅の養生シート１を２枚又は３枚以上吊り下げることもできる。
【００３８】
図７に示される例は、足場５のコーナー部に跨って養生シート１を張設した例である。レール部材７（図１参照）として、中間部に形成された湾曲部を介してほぼ９０度に屈曲された管材や棒材を用い、湾曲部を足場５のコーナー部に沿わせて両端を足場５に取り付け支持させることで、図示されるように、足場５のコーナー部に跨って養生シート１を張設することができる。この養生シート１は、足場５のコーナー部を跨いで摺動させることができ、一端側または中央部に摺動させて束ね付けることが可能となる。
【図面の簡単な説明】
【００３９】
【図１】本発明の一例に係る養生シートの張設構造を有する足場の部分斜視図である。
【図２】図１に示される保持部材の拡大斜視図である。
【図３】図１の左上部の拡大斜視図である。
【図４】図１の右側部の一部を省略した拡大斜視図である。
【図５】本発明に用いる養生シートの他の例を示す斜視図である。
【図６】足場へ張設する養生シートの配置の一例を示す説明図である。
【図７】足場へ張設する養生シートの配置の他の例を示す説明図である。
【符号の説明】
【００４０】
１    養生シート
２    建地
３    横桟
４    連結クランプ
５    足場
６ａ  保持具
６ｂ  保持具
６ｃ  保持具
７    レール部材
８    クランプ部
９    ロッド部
１０  リング部
１１  案内部材
１２  ランナー
１３  吊り孔
１４  締結具
【図１】
2006118121.tif 000003
【図２】
2006118121.tif 000004
【図３】
2006118121.tif 000005
【図４】
2006118121.tif 000006
【図５】
2006118121.tif 000007
【図６】
2006118121.tif 000008
【図７】
2006118121.tif 000009